(57)【要約】【課題】効率よく頭の蒸れを防止することができる通気性の良いキャップを提供する。【解決手段】通気性の悪い生地を用いてクラウン部２Ｃを構成した場合であっても、クラウン部２Ｃの後部側の内側面にメッシュ地の内側レンゲ２Ｂを重ねて外側クラウン部２Ｃが弛むように外側クラウン部２Ｃと内側レンゲ２Ｂとを縫い付け、さらに、クラウン部２の前側においてクラウン部２の内側の裾に配した汗取りバンド４をメッシュ地の通気帯５を介してツバ３と縫い付けることにより、外側クラウン部２Ｃと内側レンゲ２Ｂとの隙間、およびバンド４と外側クラウン部２との隙間を、外側クラウン部２Ｃと頭との間を通気部６とすることができ、頭の蒸れを効率よく防止することができる。【選択図】図２
0003121430.tif 000002
【実用新案登録請求の範囲】
【請求項１】
クラウン部の内側と外側とをつなぐ通気部を少なくとも２つ以上備え、
該通気部のクラウン部外側の開口部がクラウン部の裾側を向いていることを特徴とする通気性を有するキャップ。
【請求項２】
前記通気部は、外側レンゲと、該外側レンゲのクラウン部内側に重ねられた通気性を有する内側レンゲとの間に形成され、
前記外側レンゲが前記通気性を有する内側レンゲよりも前記クラウン部の裾方向に延び、前記外側レンゲと通気性を有する内側レンゲとはそれぞれの裾方向以外のキャップの天から裾方向に側端部同士が互いに縫い付けられていることを特徴とする請求項１に記載の通気性の良いキャップ。
【請求項３】
内側レンゲの通気性を有する部分が上部のみに形成されており、前記通気性部分に重なる部分のみに外側レンゲが形成されていることを特徴とする請求項２に記載の通気性の良いキャップ。
【請求項４】
前記外側レンゲは、重ねられた通気性を有する内側レンゲよりもクラウン部の頭周り方向が長く、内側レンゲに対して弛みを保持するように縫い付けられていることを特徴とする請求項２に記載の通気性の良いキャップ。
【請求項５】
クラウン部内側の汗取りバンドが、頭周りの一部において通気性を有する通気帯を介してクラウン部に縫い付けられて、クラウン部と汗取りバンドとの間に通気部が形成され、
前記通気帯が、前記通気部のクラウン部外側の少なくとも一つの開口部となっていることを特徴とする請求項１に記載の通気性の良いキャップ。
【考案の詳細な説明】
【技術分野】
【０００１】
本考案は、頭の蒸れを防止した通気性の良いキャップに関する。
【背景技術】
【０００２】
従来、クラウン部やツバ部を通気性の悪い生地、特に防水、撥水布地としたキャップがある。
クラウン部やツバを防水、撥水布地としたことにより、雨天時においても頭部が濡れることを防ぐことができる。
しかし、レインカバー地は通気性が悪く、装着時に頭が蒸れやすい。
【０００３】
そこで頭の蒸れを防止したものとして、例えば本出願人所有の特許３７３３３２６号（特許文献１）に記載されたものがある。
これは図６に示すように、キャップ４０のクラウン部４１の裾の全周に縫い付けた汗取りバンド４３が、特に前額側においては、ツバ４２と直接縫い付けられずに、三日月状に裁断された伸縮吸汗性の三日月状調整帯４４を介して縫い付けられている。
キャップ４０の着帽時には、汗取りバンド４３によってキャップ４０が頭に保持され、キャップ４０の前額部において頭とキャップとの間に隙間が形成される。
これにより、三日月状調整帯４４を介してキャップ４０内に外部から空気を取り込む、または蒸れた空気を排出することができ、頭の蒸れを防止することができる。
【特許文献１】特許３７３３３２６号
【考案の開示】
【考案が解決しようとする課題】
【０００４】
前記した従来のキャップは、空気の吸排気部が合わさってキャップの前側に１つ設けられているだけなので、空気の循環が十分でなく、キャップ内の蒸れを効率よく防止することができない。
従来のキャップのように通気性の悪い、特に防水、撥水布地によってクラウン部を構成する場合には、より頭が蒸れやすいといった問題があった。
【課題を解決するための手段】
【０００５】
そこで本考案は頭の蒸れを効率よく防止することができる通気性の良いキャップを提供することを目的とする。
そのため本考案は、クラウン部に、開口部を裾側に向けた吸排気用の通気部を２つ以上設け、該通気部を通してクラウン部の内外の通気を可能とした。
また、クラウン部の外側レンゲと、クラウン部内側に重ねられた通気性を有する内側レンゲとの間に通気部が形成され、雨が通気性を有する内側レンゲからクラウン部内に入り込まないように外側レンゲの裾を内側レンゲよりも裾側に延ばし、前記外側レンゲと内側レンゲとはそれぞれの裾方向以外の端部同士を互いに縫い付けた。
また、内側レンゲの通気性を有する部分を上部のみに形成し、前記通気性部分に重なる部分のみに外側レンゲを形成した。
【０００６】
さらにまた、内側レンゲに対して外側レンゲのクラウン部の頭周りを長くし、内側レンゲに対して弛みを保持するように縫い付けることにより、内側レンゲと外側レンゲとの間に形成される通気部を大きく確保した。
また、クラウン部内側の頭周りに三日月状の通気帯を介して汗取りバンドを縫い付け、その三日月状の通気帯を通気部とした。
【考案の効果】
【０００７】
本考案によれば、クラウン部の内外をつなぐ通気部の開口部をクラウン部の裾側に向けることにより、通気部内に雨が侵入することを防止しながら通気性を確保でき、また通気部を２つ以上設けるものとしたので、キャップの着帽時にも頭の蒸れを効率よく防止することができる。
【０００８】
さらに通気部を、外側レンゲと通気性を有する内側レンゲとによって形成したり、クラウン部の内側に配置された汗取りバンドとクラウン部との間に構成するものとしたので、簡素な構成で通気部を形成することができる。
さらにまた、外側レンゲを内側レンゲよりも裾方向に延ばす構成としたので、内側レンゲを経由してクラウン部内に雨が侵入することを確実に防止することができる。
【考案を実施するための最良の形態】
【０００９】
次に本考案の実施の形態を実施例により説明する。
まず第１の実施例について説明する。
図１は、キャップを内側から見た斜視図である。
頭を覆う半球状のクラウン部２と、クラウン部２の裾部から前側に延びるツバ３とよりキャップ１が構成されている。
クラウン部２は、６枚の外側レンゲ２Ａを半球形状に縫い合わせることによって形成された外側クラウン部２Ｃと、キャップ１の後部において外側クラウン部２Ｃの内側に重ねて配置された２枚の内側レンゲ２Ｂとを有している。
【００１０】
２枚の内側レンゲ２Ｂは、縫い合わされて１枚布に形成され、外側クラウン部２Ｃと重ねられた状態で、その両側端部が外側クラウン部２Ｃのレンゲの縫い線と一緒に天位置から裾に向かって外側クラウン部２Ｃに縫い合わされている。
このとき、外側クラウン部２Ｃの裾が内側レンゲ２Ｂの裾回りより長くしてあり、内側レンゲに対して弛むように縫い合わせ、外側クラウン部２Ｃと内側レンゲ２Ｂとの２重構造となり、かつ外側クラウン部２Ｃと内側レンゲ２Ｂとの間に隙間が形成される。
【００１１】
内側レンゲ２Ｂは、その裾部２Ｂ’が外側レンゲと同一布地によって構成され、裾部２Ｂ’以外の部分がメッシュ地によって構成されている。
外側レンゲ２Ａの裾部は、内側レンゲ２Ｂのメッシュ地の部分よりも裾方向に延びて内側レンゲ２Ｂの裾部２Ｂ’と重なっている。
【００１２】
クラウン部２の裾において、内側レンゲ２Ｂの裾を通る全周に汗取りバンド４が頭回りに縫い付けられている。
この汗取りバンド４は、前額部においては、ツバ３と直接縫い付けられずに、三日月形状に裁断された通気帯５を介して縫い付けられている。
この通気帯５には、メッシュ地が用いられる。
このように、汗取りバンド４を内側レンゲ２Ｂに縫い付けること、および通気帯５を介してツバ３と縫い付けることにより、汗取りバンド４は外側クラウン部２Ｃの裾の径よりも小径となっている。
汗取りバンド４は伸縮性を有し、キャップ１の着帽時には頭の周りにフィットするようになっている。
【００１３】
キャップ１の後部側において、内側レンゲ２Ｂの裾部は切り欠かれており、その切欠き部分にまたがるように調節具７が取り付けられている。
調節具７の調節ベルト７Ａの長さを調節して切欠き部分の幅を伸縮させることでキャップ１の頭周りサイズを調節することができる。
【００１４】
キャップ１の着帽時には図２に示すように、外側クラウン部２Ｃの裾よりも汗取りバンド４の径が小径であるため、レインキャップ１は、その前側がバンド４によって頭に保持され、後部側は内側レンゲ２Ｂによって頭に保持される。
【００１５】
本実施例は以上のように構成され、通気性の悪い、特に防水性、撥水性の布地を用いてクラウン部２を構成した場合であっても、外側クラウン部２Ｃの後部側の内側面にメッシュ地の内側レンゲ２Ｂを重ねて外側クラウン部２Ｃが弛みを保持するように外側クラウン部２Ｃと内側レンゲ２Ｂとを縫い付け、さらに、クラウン部２の前側においてクラウン部２の内側の裾に配した汗取りバンド４をメッシュ地の通気帯５を介してツバ３と縫い付けることにより、キャップ１の着帽時に、外側クラウン部２Ｃの前後の内側部分が直接頭に触れない。
【００１６】
したがって、二重となった外側クラウン部２Ｃと内側レンゲ２Ｂとの間、およびバンド４と外側クラウン部２との間が、外側クラウン部２Ｃと頭との間に空気を取り込む、または空気を排出する通気部６（図２参照）となる。
このようにキャップ１の前後２箇所の裾に通気部６を設け、かつ、通気部６のクラウン部外側の開口部が裾方向を向いていることにより、雨天時に頭が濡れることを防止しながら、クラウン部２内の空気の循環効率を向上させることができ、キャップ１内の蒸れをより効率よく防止することができる。
また外側レンゲ２Ａを、内側レンゲ２Ｂのメッシュ地の部分よりも裾方向に延ばすことにより、雨が内側レンゲ２Ｂのメッシュ地部分を介してクラウン部２内に進入することを確実に防止することができる。
【００１７】
なお、内側レンゲ２Ｂおよび通気帯５をメッシュ地によって構成するものとしたが、通気性を有するものであれば、パンチング地など、他の材料を用いることができる。
また、内側レンゲ２Ｂをクラウン部２の後部側、通気帯５を前側に配置するものとしたが、これに限定されず、内側レンゲ２Ｂをクラウン部２の前側、通気帯５を後部側に配置したり、クラウン部２の側面に配置したりすることができる。
【００１８】
さらに、外側クラウン部２Ｃと頭との間に空気を取り込む、または空気を排出する通気部６を２つ以上設けてあればよく、外側クラウン部２Ｃの内側に内側レンゲ２Ｂを２箇所に配置したり、または外側クラウン部２Ｃの裾部に通気帯５を２箇所配置しても良い。
この配置は、クラウンの対角線位置にあるのが望ましい。
【００１９】
次に第２の実施例について説明する。
この第２の実施例においては、前記第１実施例における内側レンゲの通気性部分を上部のみとしたものであり、前記通気性部分に重なる部分のみに外側レンゲを形成させたものである。
図３は、キャップの側面図であり、図４は、キャップを内側から見た図である。図５は、図４のＡ−Ａ部断面を示す図である。
頭を覆う半球状のクラウン部２０と、クラウン部２０の裾部から前側に延びるツバ３０とよりキャップ１０が構成される。
クラウン部２０は、キャップ１０の前後にそれぞれ２枚づつ配置された外側レンゲ２１と、キャップ１０の両側面において裾側にそれぞれ配置された下外側レンゲ２３と、該下外側レンゲ２３に連続してキャップ１０の天位置までに配置された通気性を有する上内側レンゲ２５とを有し、それぞれが縫い合わされて半球形状に形成されている。
クラウン部２０の両側に配置された通気性を有する上内側レンゲ２５の外側には、それぞれ上外側レンゲ２２が重ねられる。
【００２０】
上外側レンゲ２２は、クラウン部２０を外方から見たときに通気性を有する上内側レンゲ２５を完全に覆い、かつ前記上内側レンゲ２５よりも所定長さだけクラウン部２０の裾側に延びている。
上外側レンゲ２２は、他の外側レンゲ２１や上内側レンゲ２５と共に、クラウン部２０の天位置から裾側に向かって縫い付けられている。
外側レンゲ２１、上外側レンゲ２２、下外側レンゲ２３は、本実施例の場合、通気性の悪い、特に防水性、撥水性の布地によって構成され、上内側レンゲ２５はメッシュ地によって構成されている。
よってキャップ１０を外方から見た場合、クラウン部２０の外面はすべて防水性、撥水性の布地によって構成され、雨天時であっても頭が濡れない。
特に図５に示すように、上外側レンゲ２２の裾側の端部２２ａが上内側レンゲ２５の裾部２５ａよりもキャップの裾方向に延びていることにより、雨などが上内側レンゲ２５を介してクラウン部２０の内部に進入することがない。
【００２１】
キャップ１０の着帽時には、図５に示すように、上内側レンゲ２５が頭に接触するため、上外側レンゲ２２が直接頭に触れることがなく、上外側レンゲ２２と頭との間に隙間を設けることができる。
また、上外側レンゲ２２の裾側の端部２２ａと下外側レンゲ２３とが縫い付けられていないため、上外側レンゲ２２の裾側と下外側レンゲ２３との隙間、および上内側レンゲ２５と上外側レンゲ２２との隙間を介してクラウン部２０と頭との間に空気を吸気、または排気することができる。
【００２２】
本実施例は以上のように構成され、通気性の悪い防水性、撥水性の布地を用いてクラウン部２０の外側面を構成した場合であっても、クラウン部２０の両側面を、内側にメッシュ地の上内側レンゲ２５を配置し、外側に防水性、撥水性の布地の上外側レンゲ２２を配置した２重構造とし、かつ、上外側レンゲ２２におけるクラウン部２０の裾側の端部２２ａを下外側レンゲ２３と縫い付けないことにより、上外側レンゲ２２の裾側と下外側レンゲ２３との隙間、および上内側レンゲ２５と上外側レンゲ２２との隙間を、クラウン部２０の内外をつなぐ通気部２８（図５参照）とすることができる。
【００２３】
したがって、通気部２８をキャップ１０の両側面にそれぞれ設けることにより、雨天時に頭が濡れることを防止しながら、クラウン部２０内の空気の循環効率を向上させることができ、レインキャップ１０内の蒸れをより効率よく防止することができる。  また上外側レンゲ２２をメッシュ地で構成された上内側レンゲ２５よりも裾側に延ばすことにより、雨が上内側レンゲ２５を介してクラウン部２０内に進入することを確実に防止することができる。
さらにまた、上外側レンゲ２２の裾部２２ａを、図３に示すような斜めカットあるいは曲線カットにすることによりデザイン性に富んだキャップを楽しむことができる。
【図面の簡単な説明】
【００２４】
【図１】第１の実施例を内側から見た斜視図である。
【図２】本考案キャップの断面を示す図である。
【図３】第２の実施例を示す側面図である。
【図４】本考案キャップを内側から見た図である。
【図５】本考案キャップの断面を示す図である。
【図６】従来のキャップを示す図である。
【符号の説明】
【００２５】
１、１０    キャップ
２、２０    クラウン部
２Ａ、２１    外側レンゲ
２Ｂ    内側レンゲ
２Ｃ    外側クラウン部
３、３０    ツバ
４    汗取りバンド
５    通気帯
６    通気部
７    調節具
７Ａ    調節ベルト
２２    上外側レンゲ
２３    下外側レンゲ
２５    上内側レンゲ
【図１】
0003121430.tif 000003
【図２】
0003121430.tif 000004
【図３】
0003121430.tif 000005
【図４】
0003121430.tif 000006
【図５】
0003121430.tif 000007
【図６】
0003121430.tif 000008